(57)【特許請求の範囲】
【請求項１】
ａ）少なくとも２つの分離可能な室、および
ｂ）前記少なくとも２つの室用の共通の蓋を具備し、
ｃ）前記各室が前側および相互結合された後側を含み、前記各室の前記前側が前側底面を備え、前記各室の前記後側が後側底面と後側上面を有し、前記各室の前記後側底面が底を形成し、前記各室の前記後側上面が前記他の各室の前側の底面と抱き合わせになり、
ｄ）前記室が、前記共通蓋は抜きにして、はずすことができるように連結して一体の瓶を形成することができる瓶。
【請求項２】
前記室が同一である請求の範囲第１項に記載の瓶。
【請求項３】
前記共通蓋がさらに前記室同士を結合する請求の範囲第１項に記載の瓶。
【請求項４】
前記共通蓋が１個または複数の内容物出口開口と、前記内容物出口孔を塞ぐ閉じた位置と開いた位置の間で旋回可能なキャップとを含む請求の範囲第１項に記載の瓶。
【請求項５】
前記キャップは、それが閉じた位置のとき前記共通の内容物出口開口内に適合する垂れ下がった栓を含む請求の範囲第１項に記載の瓶。
【請求項６】
各室について前記前側内部が前記後側内部と流体連通する請求の範囲第１項に記載の瓶。
【請求項７】
前記瓶が２つの側壁を含み、前記２つの室のそれぞれが前記側壁の１つを形成することを特徴とする請求の範囲第１項に記載の瓶。
【請求項８】
少なくとも１つの水平の横断面が、瓶の周縁部は第１の垂直面に沿って、かつ前記第１の垂直面と直角をなす第２の垂直面に沿って鏡面をなし、前記室の内部が第１の垂直面に沿っては鏡像をなすがその面と直角をなす垂直面に沿っては鏡像をなさないようなものである請求の範囲第１項に記載の瓶。
【請求項９】
前側と後側を備える二重瓶用の室であって、前記前側が前記後側と相互連結され、前記前側が前側底面を備え、前記後側が後側底面と後側上面を有し、前記後側底面が底を形成し、前記室が別の前記室と連結して二重瓶を形成することができるように、前記後側上面が前記室の前側底面と抱き合う形を有する室。
【請求項１０】
前記前側内部が前記室の後側内部と連通する請求の範囲第９項に記載の室。
【請求項１１】
前記室が、前記の連結している室同士が互いに隣接して内容物出口孔を有するように形成された内容物出口孔を有する請求の範囲第９項に記載の室。
【発明の詳細な説明】
発明の背景
最近の消費者製品を使用する際、それらを最終製品として使用する直前まで１個または複数の成分を分離しておくのが望ましいことが時々ある。例えば、漂白剤成分と酵素成分は望ましくない成分同士の事前の反応を防ぐために製品を使用する前は分離しておく必要があろう。成分を分離しておくことが望ましいその他の消費者製品の例としては、シャンプーの界面活性剤成分とヘアコンディショナ成分、シャワーゲルの界面活性剤成分とモイスチャライザ成分を挙げることができる。
二重容器が望ましいが、その製品ができるだけ容易で経済的であることも重要である。例えば、その二重区画が同型のものであれば、その目的は助成されることになる。
当技術分野では、二重室または多重瓶の包装容器は数多く知られている。
Ｇｅｎｔｉｌｅの米国特許第５２８９９５０号は、少なくとも二種類の液体成分を同時に供給するための包装容器を開示している。この包装容器はそれぞれ上端に出口がある少なくとも２個の別々の区画を有する容器を備える。この容器の蓋システムには周囲がスカート状に下方に垂れ下がっている部分を持つ王冠を含む。この王冠からは少なくとも２つの注ぎ口が上方にのびており、それぞれの注ぎ口には口の上端から区画中に延びて貫通する孔がついている。別々の貯蔵区画８、１０がついている。この二区画容器は完全に分離している２つの区画から形成しそれを蓋システムで組み立てることができ、容器の中を仕切る壁によって形成することもできる。この蓋システムは流体が漏れないように容器表面とかみ合う。従来の溝とビードによるスナップばめのかみ合わせが使用でき、これは既知の同等のかみ合わせまたはシールで代用できる。
Ｂｌｅｔｔｅの米国特許第５３８６９２８号は、２成分からなる材料を供給するもので、加圧空気による塗布装置の容器中に取り付けた１対の折りたたみ可能のチューブを採用するシステムを開示している。空気を容器中に入れると、チューブは一斉に折りたたまれて各成分は出口を通ってスタティックミキサーに向けて送り込まれそこで均一に混合される。各チューブには前と後の末端に比較的堅い部品を使っており、その末端部品はピンでつないでいる。第７図に半月形の部品４２を示す。
Ｇｅｎｔｉｌｅの米国特許第５３９２９４７号は、少なくとも２つの分離した区画を有するディスペンス容器を使った歯科用口内洗浄剤製品を開示している。このディスペンス容器の上端部には密封するように蓋の機構が取り付けてある。この２つの区画は蓋によってつなぐ完全に分離した２つの区画から形成することもでき、容器の中を仕切る壁によって形成することもできる。
Ｐａｒｄｏの米国特許第４１９６８０８号は、通常は単一平面に並列に置かれた首部分のついた複数の内容物区画を有する容器包装用連続式蓋連結装置を開示している。このユニット化された包装は、容器を一体化した包装に結合する収縮包装のような手段をさらに具備することができる。２個より多い区画および／または瓶または容器を利用し、収縮包装のバンド以外の手段を利用して瓶または容器を一体化包装に組込むことができる。例えば、瓶または容器の接合箇所にかかり、それぞれの瓶または容器に接着するラベル用パネルは、瓶または容器を互いに直接接着させる場合と同様に使用できる。他のタイプのバンドまたは外側包装またはラップもまた同様に利用できる。
Ｂｕｓｋｅの米国特許第３９３３２６８号は、好ましくは２個の多角形底面をもつ直角柱の形をしており、容器の集合体が形成されるように底部および側面の少なくとも１つが類似した形の容器の対応する面と向き合うようにしてある液体包装用の容器を開示している。底部および側面の少なくとも１つには、対応する面と接して据えられたとき、かみ合った面の間で滑ることのないように、類似した容器の対応する面とかみ合う手段がとられている。
Ｐｏｓｔｏｎ他の米国特許第３２２５９５１号は、洗濯機のタンクの構造についてのものであり、濃縮した洗濯溶剤の瓶を支持するための組み込み式構造を記載している。それにより、単独の締め付け金具の必要性を排除している。この洗濯機のタンクと溶剤容器にはさねはぎ型の相補的構造を持たせてもよい。
Ａｂｆｉｅｒ他の米国特許第ＤＥＳ３５３３２６号は、二重容器向けと思われるデザインを開示している。
Ｊｅｎｎｉｓｏｎの米国特許第４１６５８１２号は、多重容器包装を開示しており、そこでは容器は引き離しできるように突起と溝によってつないでいる。
Ｍｅｄｎｉｓの米国特許第４５７３５９５号は、多目的の容器ユニットを開示しており、そこでは、その中空の胴体の首と肩の部分を調整して、大きさ、容量あるいは外観の比率が等しい同型または鏡像のユニットを連結して組み合わせられるように作っている。
Ｍｅｎｄｉｓの米国特許第４６４０４２３号は、組み合わせると多面体を形成する容器を開示している。
Ｄｏｕｇｌａｓ他の米国特許第５４５８１９１号は、瓶を２個有する二重容器を開示している。瓶は引き離しが可能なように２つ並べてほぞ孔結合によって連結している。１つのキャップが両方の瓶に被さっているが、そのキャップにはそれぞれの瓶用に別の出口がついていて、互いに独立して開けることができる。
Ｄｏｕｇｌａｓ他の米国特許第５３１６１５９号は、二重瓶容器を開示している。２つの瓶は引き離しができるように一方の瓶の隆起部を他方の瓶のくぼみとかみ合わせることによって並んで連結している。
Ｒｅｉｌ他の米国特許第５１５８２０９号は、流動性媒体の包装を開示しているが、これは、おのおの全体が側壁を形成する２つの筒形の部分、向かい合わせに配列して隣り合う２つの半分が側壁の部分、半分底の部分および半分が注ぎ装置で半分が上壁の部分から成り立っている。これらはいずれの場合も合成プラスチックフィルムで個々にシールし互いにつなぎ合わせている。
別々に貯蔵しておいた成分を使用するのに、それらが互いに使用直前に出てきて混じり合い、単一製品の流れとなるような、改良を施した二重容器が依然として求められている。
発明の概要
本発明は二室容器に関し、これは瓶を連結したものからなり、各成分を使用する前はそれぞれ分離しておくが、各成分は互いに殆ど同時に内容物出口部分を通って、隣接する内容物出口孔に向かうようにしたものである。好ましくは、本発明の瓶には２つの同型の室を用い、背中合わせに置いたときにそれらが相互に繋がって単一の二室容器となるように設計し、成型する。本発明の連結の仕組みによってプラスチック成型業者段階での組立と、充填時の単品容器の受け渡しが可能となる。蓋としては好ましくは内容物出口の筒を取り巻くシェルでそのシェルには引き上げキャップのついたものを用いる。
各室には前側と後側があり、その前側と後側は好ましくは互いに通じ合う内部を有する。前側には底面があり、後側には底面と上面がある。後側の底面は二重瓶の底の半分をなす。後側の上面は他の室の前側の底面と抱き合わせになる。その抱き合わせの面によって２つの室を連結することができる。
上記およびその他の本発明に関わる特徴と利点をより完全に理解するには、以下の好ましい実施態様の詳細な説明と添付図面を参照されたい。
【図面の簡単な説明】
第１図は本発明に関わる二重瓶の前面からの透視図である。
第２図は室が分離していることを示し、共通の蓋のはめ込み方を示す二重瓶の透視図である。
第３図は第１図の３−３の線に従う断面図である。
第４図は第１図の４−４の線に沿う断面図である。
第５図は第１図の５−５の線に沿う断面図である。
第６図は第１図の６−６の線に沿う断面図である。
第７図は第１図の７−７の線に沿う断面図である。
第８図は、本発明に関わる瓶の断面図で、内容物出口孔から内容物が注ぎ出るように、キャップが開いている局面で瓶が逆さになっているところを示す。
発明の詳細な説明
第１図で分かるように、二重瓶１０には室１２、１２’があり、図のようにこれらは好ましくは同型のものである。室１２には前側１４（第２図）と後側１６がある。前側１４と後側１６は中空で、内容物が一方から他方に流れられるように内部は互いに通じ合っていることが好ましい。もし前側１２と後側１４が互いに通じ合っていない場合も、好ましくはそれらは相互につないでおく。
第１図および第２図（１８’）で見られ、また、第６図で最もよく分かるように、室１２’に関して、後側１６にはまた舌状の側面部分１８がついている。前側１４には図で示すような形に丸めた底面２０がある。後側１６には上面２２があり、少なくとも一部が前側１４の底面２０と抱き合わせになる。後側１６にはまた底面２４があり、それぞれの室および一部はまた二重瓶の底の役割も果たす。室１２、１２’には上部に別々に内容物出口部分７０、７０’があり、内容物出口孔２７、２７’まで達している。
共通の蓋２６はシェルの外壁７４と、その外壁と繋がっているキャップ３０および台７８、７８’についている内容物出口孔７６、７６’を備えている。キャップ３０はプラスチック片３２でシェルに蝶番式に取り付けてある。蓋２６の内筒９０には内側に向いた円筒形のビード３４が含まれており、出口部分７０、７０’の外側に出ているビード９２、９２’の下側にパチンとはめ込むことができる。
室１２、１２’はそれぞれを背中合わせにはめ込んで二重瓶１０にする。第２図を見ると最もよくわかるように、後側１６’の上面２２’は前側１４の下面２０と抱き合わせになる。同様に、室１２’の前側１４’の下面２０’は室１２の後側１６の上面２２と合わせられる。また、後側１６’の側面部分１８’は、室１２の前側１４の側面４０と合うように形と大きさをそろえてある。室１２と１２’は共通蓋２６なしでも完全につなげられるが、蓋２６は二重瓶の安定化に役立ちうる。必要があれば、後側１６、１６’に突起１０２（透視図、第２図）、１０２’をおいて、溝１００、１００’に合わせて二室の固定を補助してもよい。
第２図の透視図で分かるように、共通蓋２６はつながれた室１２、１２’に上からはめ込むことができる。
内容物出口部分７０、７０’は蓋２６のシェルの外壁内の経路５０を通って延びている。小室５０内では内容物の２成分は別々に移送され、共通蓋２６内の内容物出口孔７６、７６’を通って出てくる以前は混合することはない。内容物出口部分７０、７０’は、末端を弧１０８、１０８’の状態でつなげた垂直部分からなり、それぞれ半月形にしてある。２つの室をはめ込むと垂直部分の外側の面が互いに接触して並び合い、それぞれの半弧が一緒になって完全な円筒の形をつくる。
キャップ３０は第８図のように開けた局面または第３図のように閉めた局面にしておくことができる。閉めた局面では、キャップ３０に付いている栓５８、５８’が内容物出口孔５２に入って蓋をする助けとなる。
第６図から最もよく思い描けるように、二室からなるこの二重瓶の周縁部は、（１）接合部の縦軸に沿う紙と垂直方向の鏡面で、（２）水平面に対して垂直で紙とも垂直な面と共に鏡像をつくる（二室が交わる周縁部のわずかな不連続性は無視）。それに反して、二室の内部は（２）の場合は鏡像をなすが、（１）ではなさない。
二重瓶の各室は好ましくはポリエチレンのような熱可塑性プラスチックスであって、好ましくはブロー成型で作成する。
本発明により、隣接した口から取り出しが可能であり、さらに型が同一で、したがって、製造を容易にすることが可能な２つの室からなる二重容器を提供できることを理解されたい。
本明細書において図示し、説明した本発明に関わる特定の形状は、もちろん、単なる代表例として示したにすぎず、本開示の明らかな教示を逸脱せずに、それに何らかの変更を加えることができることを理解されたい。従って、次に本発明の全範囲を決定する際には下記の請求の範囲を参照すべきである。
【図１】
0003889059.tif 000002
【図２】
0003889059.tif 000003
【図３】
0003889059.tif 000004
【図４】
0003889059.tif 000005
【図５】
0003889059.tif 000006
【図６】
0003889059.tif 000007
【図７】
0003889059.tif 000008
【図８】
0003889059.tif 000009